【手続補正書】
【提出日】平成16年6月28日(2004.6.28)
【手続補正１】
【補正対象書類名】明細書
【補正対象項目名】特許請求の範囲
【補正方法】変更
【補正の内容】
【特許請求の範囲】
【請求項１】
インクジェット印刷システム（10）であって、
インク小滴を放出するための複数のノズルを有する印字ヘッド（12）と、
前記複数のノズルにキャップをするための及び前記複数のノズルを拭き取るためのサービスステーション（８）と、
消耗されるマーキング媒体の供給品を収容し、及びサービスステーション制御データを記録するためのカートリッジメモリ手段（28）を備えている取替え可能なカートリッジ手段（20）と、
プロセッサメモリを備えているプロセッサ手段（30）であって、前記カートリッジメモリ手段（28）に結合され、前記カートリッジメモリ手段（28）から読取った前記サービスステーション制御データに応答して前記サービスステーション（８）を動作させるためのプロセッサ手段（30）と、
を備えていることを特徴とするインクジェット印刷システム。
【請求項２】
前記印字ヘッド（12）が取替え可能であり、前記インクジェット印刷システム（10）が更に、
印字ヘッド関連パラメータを記録するための、前記印字ヘッド（12）に設置されている印字ヘッドメモリ手段（16）を備え、
前記プロセッサ手段（30）が更に、前記印字ヘッドメモリ手段（16）から読取った印字ヘッド関連パラメータ及び前記カートリッジメモリ手段（28）から読取ったサービスステーション制御データに応答して、前記サービスステーション（８）を制御する請求項１記載のインクジェット印刷システム。
【請求項３】
前記取替え可能なカートリッジ手段（20）が、前記インクジェット印刷システム（10）に差込み可能に挿入し得るインク貯蔵容器カートリッジ（20）であり、前記カートリッジメモリ手段（28）が、前記カートリッジ手段（20）の組込み部分を形成し、さらに前記カートリッジ手段（20）に挿入することにより前記印刷システム（10）との電気的接続が形成される請求項１記載のインクジェット印刷システム。
【請求項４】
前記カートリッジメモリ手段（28）から読取った前記データが更に、閉塞したノズルをクリーニングするための多数のインク放出物を得る前記プロセッサ手段（30）からの値を含む請求項１記載のインクジェット印刷システム。
【請求項５】
前記カートリッジメモリ手段（28）から読取った前記サービスステーション制御データが、前記プロセッサ手段（30）により使用されて、前記サービスステーション（８）により前記印字ヘッド（12）に適用される多数の拭き取りの制御を可能とする値を含む請求項１記載のインクジェット印刷システム。
【請求項６】
前記カートリッジメモリ手段（28）から読取った前記サービスステーション制御データが、前記プロセッサ手段（30）が前記サービスステーション（８）を動作させることができるようにするためのサブルーチンを含む請求項１記載のインクジェット印刷システム。
【請求項７】
前記カートリッジメモリ手段（28）から読取った前記サービスステーション制御データが、前記プロセッサ手段（30）により使用されて前記サービスステーション（８）を動作させる複数のパラメータを含む請求項１記載のインクジェット印刷システム。
【請求項８】
前記カートリッジメモリ手段（28）から読取った前記サービスステーション制御データが、前記プロセッサ手段（30）により使用され、前記プロセッサメモリからサービスステーション制御手順にアクセスする少なくとも一つのパラメータを含む請求項１記載のインクジェット印刷システム。
【請求項９】
前記カートリッジメモリ手段（28）から読取った前記サービスステーション制御データが、前記印字ヘッド（12）からの制御データに優る優先権を与えられ、前記印字ヘッド（12）からの制御データが、前記プリンタ（10）に格納されている制御データに優る優先権を与えられている請求項２記載のインクジェット印刷システム。
【請求項１０】
前記取替え可能なカートリッジ（20）が、前記印字ヘッド（12）とは別に取替え可能である請求項２記載のインクジェット印刷システム。
【請求項１１】
前記取替え可能なカートリッジ（20）が、前記印字ヘッド（12）に組込まれている請求項２記載のインクジェット印刷システム。
【請求項１２】
データコードを備えている、前記カートリッジメモリ手段（28）から読取った前記サービスステーション制御データが、初期のデータコードを有する制御データに優る優先権を与えられている請求項２記載のインクジェット印刷システム。
【請求項１３】
(i)印字ヘッド（12）に存在するノズル板にキャップをするための及び該ノズル板を拭き取るためのサービスステーション（８）と、(ii)消耗されるマーキング媒体の供給品を収容するための取替え可能なカートリッジ（20）であって、更に印字ヘッドサービス用データを記録するためのカートリッジメモリ（28）を備えている取り替え可能なカートリッジ（20）と、(iii)印刷媒体上にマークを付けるための、ノズル板を含む印字ヘッド（12）とを含むインクジェット印刷システム（10）の動作を制御する方法であって：
ａ）少なくとも前記カートリッジメモリ（28）に格納されている印字ヘッドサービスデータを読取るステップと、
ｂ）前記カートリッジメモリ（28）から読取った前記印字ヘッドサービスデータに依存するサービスステーション機能制御値を得るステップと、
ｃ）前記サービスステーション機能制御値に従って前記サービスステーション（８）を制御するステップと、
から構成されていることを特徴とする方法。
【請求項１４】
ステップａ）が更に、印字ヘッドメモリ手段（16）から印字ヘッド関連パラメータを読取り、ステップｂ）が、前記印字ヘッド関連パラメータ及び、前記カートリッジメモリ（28）から読取った前記印字ヘッドサービスデータを使用して前記サービスステーション（８）を制御する請求項１３記載の方法。
【請求項１５】
前記カートリッジメモリ（28）から読取った前記印字ヘッドサービスデータが、前記印字ヘッド（12）に多数のインク放出物を発生させて一つ又はそれ以上の閉塞したノズルをクリーニングするための制御信号を得るステップｂ）からの値を含む請求項１３記載の方法。
【請求項１６】
前記カートリッジメモリ（28）から読取った前記印字ヘッドサービスデータが、前記サービスステーション（８）により前記印字ヘッド（12）に適用される多数の拭き取りを制御する信号を得るステップｂ）からの値を含む請求項１３記載の方法。
【請求項１７】
前記カートリッジメモリ（28）から読取った前記印字ヘッドサービスデータが、プロセッサ（30）が前記サービスステーション（８）を動作させることができるようにするためのサブルーチンを含む請求項１３記載の方法。
【請求項１８】
前記カートリッジメモリ（28）から読取った前記印字ヘッドサービスデータが、プロセッサ（30）により使用されて前記サービスステーション（８）を動作させる複数のパラメータを含む請求項１３記載の方法。
【請求項１９】
ステップｃ）では、前記印字ヘッドサービスデータが、前記印刷システム（10）により使用されて、メモリからサービスステーション制御手順にアクセスする少なくとも一つのパラメータを含む請求項１３記載の方法。
【請求項２０】
インクジェット印刷システム（10）のための取替え可能なインクカートリッジであって、印刷媒体上にマークを付けるための印字ヘッド（12）を含み、さらにこの印字ヘッド（12）に対してキャップをする機能及び拭き取る機能を実行するための印字ヘッドサービスステーション（８）及びプロセッサメモリを有するプロセッサ手段（30）を備えているものにおいて、
インク供給品が入っているインク貯蔵容器（26）と、
そこに格納されているサービスステーション制御データを有するカートリッジメモリ素子（28）であって、前記インクカートリッジ（20）がソケットに設置されると、前記プロセッサ手段（30）が前記サービスステーション制御データにアクセスできるように、前記プロセッサ手段（30）と電気的に結合するカートリッジメモリ素子（28）とからなり、
サービスステーション動作を行なうために、前記カートリッジメモリ素子（28）に格納されているサービスステーション制御データが、前記プロセッサ手段（30）により読取られ、前記プロセッサ手段（30）がサービスステーション制御値を得ることが可能となることを特徴とするインクカートリッジ。
【請求項２１】
前記カートリッジの制御データが、前記インクカートリッジ（20）が製造される時点で記録される工場設定パラメータを含む請求項２０記載のインクカートリッジ。
【請求項２２】
前記カートリッジの工場設定パラメータが、ノズルのキャップをしている状態又はキャップをしていない状態で発射しなかった期間に基づいて、閉塞したノズルをクリーニングするのに必要な多数のインク放出物を得る前記プロセッサ手段（30）からの値を含む請求項２１記載のインクカートリッジ。
【請求項２３】
前記カートリッジの工場設定パラメータが、前記プロセッサ手段（30）により使用されて、前記サービスステーション（８)により前記印字ヘッド（12）に適用される多数の拭き取りを制御する値を含む請求項２１記載のインクカートリッジ。
【請求項２４】
前記カートリッジの制御データが、前記プロセッサ手段（30）が前記サービスステーション（８)を動作させることができるようにするためのサブルーチンを含む請求項２０記載のインクカートリッジ。
【請求項２５】
前記カートリッジの制御データが、前記プロセッサ手段（30）が前記サービスステーション（８)を動作させることができるようにするためのソフトウェアオブジェクトを含む請求項２０記載のインクカートリッジ。
【請求項２６】
前記カートリッジの制御データが、前記印字ヘッドメモリユニット（16）及びプロセッサメモリの一つに設定されている現存のソフトウェアオブジェクトを置き換える請求項２５記載のインクカートリッジ。
【請求項２７】
前記インク貯蔵容器（26)が、前記印字ヘッド（12）に組込まれており、前記印字ヘッド（12）及びインクカートリッジ（20）が共にユーザにより取替え可能である請求項２０記載のインクカートリッジ。
【手続補正２】
【補正対象書類名】明細書
【補正対象項目名】００１９
【補正方法】変更
【補正の内容】
【００１９】
印字ヘッド６は、それぞれ、シアン、マゼンタ、黄及び黒のインクを保持する４個の着脱可能インクカートリッジ７に流体的に結合している。黒インクは最も急速に消耗しやすいから、黒インクカートリッジは、他のカートリッジより大きい容量を備えている。以下に続く説明から理解されるように、それぞれの印字ヘツド及びインクカートリッジは、プリンタ１がその印刷動作を制御するのに使用するデータを格納する組込みメモリが設けられている。